(57)【要約】      （修正有）【課題】玄関カメラのパンチルト操作をインターホン親機のモニタに備え、モニタを上下左右の角度変更することによって玄関カメラの撮像範囲を変更することができるインターホン装置を提供する。【解決手段】カメラとパンチルト駆動部を備えた玄関子機と、カメラで撮像した映像を出力するモニタと、カメラの撮像方向を自由にパンチルト操作することができるパンチルト操作検出部を備えたインターホン親機からなるインターホン装置において、パンチルト操作検出部は、モニタとインターホン親機をモニタ背面の中央で支持するモニタ支持機構と、モニタ背面の中央を中心として上下左右に傾斜させることができるモニタ傾斜機構を備え、インターホン親機には、モニタ傾斜機構によるモニタの傾斜方向を判定し、傾斜方向に応じたパンチルト信号を玄関子機に送信する機能を備える。【選択図】図１
2010200180.tif 000002
【特許請求の範囲】
【請求項１】
カメラ（２０１）とパンチルト駆動部(２０２)を備えた玄関子機（２）と、前記カメラで撮像した映像を出力するモニタ（１０１）と、前記カメラの撮像方向を自由にパンチルト操作したことを検出するパンチルト操作検出部（１０２）を備えたインターホン親機（１）からなるインターホン装置において、
前記パンチルト操作検出部は、前記モニタと前記インターホン親機を前記モニタ背面の中央で支持するモニタ支持機構と、前記モニタ背面の中央を中心として上下左右に傾斜させることができるモニタ傾斜機構を備え、
前記インターホン親機には、前記モニタ傾斜機構による前記モニタの傾斜方向を判定し、前記傾斜方向に応じたパンチルト信号を前記玄関子機に送信する送信機能を備えたことを特徴とするインターホン装置。
【請求項２】
前記インターホン親機は、前記モニタ傾斜機構によって前記モニタの傾斜角度を測定する傾斜角度測定部（１０３）と、前記傾斜角度測定部で測定した傾斜角に応じた上下左右角度のパンチルト信号を前記玄関子機に送信するパンチルト制御部（１０４）を備えたことを特徴とする請求項１記載のインターホン装置。
【請求項３】
前記インターホン親機は、前記モニタ操作機構によって傾斜された前記モニタを、元に戻す復帰機能を備えたことを特徴とする請求項１または請求項２記載のインターホン装置。
【発明の詳細な説明】
【技術分野】
【０００１】
本発明は、パンチルト機能を備えたインターホン装置に係わり、インターホン親機のモニタの角度を傾斜させることによって、玄関子機のカメラをパンチルトさせることができるインターホン装置に関する。
【背景技術】
【０００２】
従来から、インターホン装置は、玄関子機に備えられたカメラをインターホン親機で撮像することが知られている。例えば、特許文献１には、玄関子機のカメラの撮像方向をパンチルト制御することができるパンチルトインターホン装置が記載されている。このパンチルトインターホン装置は、子機から呼び出しされた時にパンチルトインターホン親機からパンチルト制御を行うことによって、撮像方向を自由に変更することができた。
【先行技術文献】
【特許文献】
【０００３】
【特許文献１】特開平０８−０７０４４８
【発明の開示】
【発明が解決しようとする課題】
【０００４】
しかしながら、従来のインターホン装置は、パンチルト操作してカメラの撮像方向を変更したままの状態で通話を終了させてしまうと、次にカメラが撮像を開始したとき、カメラはどの方向を撮像しているのか困難であった。
【０００５】
本発明は、この難点を解決するためになされたもので、玄関カメラのパンチルト操作をインターホン親機のモニタに備え、モニタを上下左右の角度変更することによって玄関カメラの撮像範囲を変更することができるインターホン装置を提供することを目的とする。
【課題を解決するための手段】
【０００６】
上記課題を解決するために、請求項１に記載の発明は、カメラとパンチルト駆動部を備えた玄関子機と、カメラで撮像した映像を出力するモニタと、カメラの撮像方向を自由にパンチルト操作することができるパンチルト操作検出部を備えたインターホン親機からなるインターホン装置において、パンチルト操作検出部は、モニタとインターホン親機をモニタ背面の中央で支持するモニタ支持機構と、モニタ背面の中央を中心として上下左右に傾斜させることができるモニタ傾斜機構を備え、インターホン親機には、モニタ傾斜機構によるモニタの傾斜方向を判定し、傾斜方向に応じたパンチルト信号を玄関子機に送信する送信機能を備えたことを特徴とする。
請求項２に記載の発明は、請求項１において、インターホン親機は、モニタ傾斜機構によってモニタの傾斜角度を測定する傾斜角度測定部と、傾斜角度測定部で測定した傾斜角に応じた上下左右角度のパンチルト信号を玄関子機に送信するパンチルト制御部を備えたことを特徴とする。
請求項３に記載の発明は、請求項１または請求項２において、インターホン親機は、モニタ操作機構によって傾斜されたモニタを、元に戻す復帰機能を備えたことを特徴とする。
【発明の効果】
【０００７】
請求項１の発明によれば、インターホン親機のモニタを上下左右方向に傾斜させることにより、玄関子機のカメラの撮像範囲を変更することができる。
請求項２の発明によれば、インターホン親機のモニタを上下左右に傾斜させ、その角度情報を玄関子機に送ることによって、カメラの撮像範囲を変更することができる。
請求項３の発明によれば、玄関子機とインターホン親機の通話が終了した時に、モニタが正面を向くようにすることができる。
【図面の簡単な説明】
【０００８】
【図１】本発明に係るインターホン装置のシステム構成図である。
【発明を実施するための形態】
【０００９】
以下、本発明によるインターホン装置を適用した好ましい形態の実施例について、図面を参照して説明する。
図１は、インターホン装置のシステム構成図である。玄関子機１には、玄関周辺を撮像するカメラ２０１と、カメラ２０１の撮像範囲を変更するためのパンチルト駆動部２０２で構成されている。インターホン親機１は、カメラ２０１からの映像を出力するためのモニタ１０１と、カメラ２０１の撮像方向にパンチルト操作したことを検出するパンチルト操作検出部１０２と、モニタ１０１の傾斜角度を測定する傾斜角度測定部１０３と、傾斜角度測定部１０３で測定した傾斜角に応じた上下左右角度パンチルト信号を玄関子機に送信するパンチルト制御部１０４を備えている。パンチルト操作検出部１０２は、モニタ１０１とインターホン親機１をモニタ背面の中央で支持し、モニタ１０１背面の中央を中心として上下左右に傾斜させることができる。
【００１０】
このように構成されたインターホン装置の動作説明を行う。
ここで、玄関子機２とインターホン親機１間の呼出／通話動作は、一般的であるため動作説明を省略し、カメラ２０１の撮像範囲を変更するパンチルト操作について説明を行う。カメラ２０１で撮像した映像信号がモニタ１０１にて出画されている時に、居住者がカメラ２０１の撮像方向を変更するために、モニタ１０１を傾斜させる。例えば、カメラ２０１を下方向したいときに、モニタ１０１の下部分を押下すると、モニタ１０１の中央を中心としてモニタ１０１が傾く。モニタ１０１の背面の中央には球状の突起物が備えており、モニタ１０１を上下左右に押下した時に傾くよう、インターホン親機２に支持されている。パンチルト操作検出部１０２にてモニタ１０２が傾いたことを検出したとき、傾斜角度測定部１０３にてモニタ１０１の傾斜した角度を測定する。パンチルト制御部１０４は、モニタ１０１が傾斜した角度を元にして、カメラ２０１の撮像角度に変更したパンチルト信号を玄関子機２に送信する。例えば、モニタ１０１を２°下に傾けたとき、カメラ２０１を４°下に傾けるようなパンチルト信号を送信する。これを受けたパンチルト駆動部２０２は、カメラ２０１を傾けるよう駆動することができる。このようにモニタ１０１を傾ける操作を行うことによって、カメラ２０１の撮像方向を変更することができる。
なお、玄関子機２とインターホン親機１の通話／通信が終了した時に、パンチルト操作検出部１０２にモータを組み込むことによりモニタ１０１を正面に向けさせると共に、パンチルト駆動部２０２によりカメラ２０１を正面に向けさせることもできる。
【符号の説明】
【００１１】
１            インターホン親機
１０１      モニタ
１０２      パンチルト操作検出部
２            玄関子機
２０１      カメラ
２０２      パンチルト駆動部
【図１】
2010200180.tif 000003